(57)【要約】【課題】故障が発生するおそれが低く、しかも優れた注意喚起効果を備える電光表示装置を提供する。【解決手段】複数の発光素子をドットマトリクス配列して構成した表示画面を少なくとも３つの発光ブロックに分割し、一端の発光ブロック及び中央の発光ブロックを点灯、全発光ブロックを消灯、全発光ブロックを点灯、全発光ブロックを消灯、中央の発光ブロック及び前記一端とは別の一端の発光ブロックを点灯、全発光ブロックを消灯、の順で発光駆動する。【選択図】図４
2007017468.tif 000002
【特許請求の範囲】
【請求項１】
複数の発光素子を点滅駆動することで所定の表示パターンを発光表示する電光表示装置において、
複数の発光素子をドットマトリクス状に配列して構成する表示画面と、
表示画面にドットマトリクス配列した発光素子を点滅駆動する表示駆動部と、
表示画面上に発光表示する表示パターンに対応して、前記表示駆動部を介して発光素子を点滅駆動するためのデータを記憶する表示データ記憶部と、を備え、
表示画面のドットマトリクス配列面の全領域あるいは一部の領域を縦方向または横方向に区切って少なくとも３つの発光ブロックに分割し、第１から第３の各発光ブロックに属する発光素子を以下の順番で繰り返しブロック毎に一斉に点灯あるいは消灯することにより注意喚起を促すことを特徴とする電光表示装置。
（１）左端あるいは上段に位置する第１の発光ブロックを点灯すると共に、中央に位置する第２の発光ブロックを点灯し、右端あるいは下段に位置する第３の発光ブロックを消灯する。
（２）第１から第３の各発光ブロックを全て消灯する。
（３）第１から第３の各発光ブロックを全て点灯する。
（４）第１から第３の各発光ブロックを全て消灯する。
（５）第１の発光ブロックを消灯し、第２の発光ブロック及び第３の発光ブロックを点灯する。
（６）第１から第３の各発光ブロックを全て消灯する。
【請求項２】
請求項１記載の電光表示装置において、前記第１から第３の各発光ブロックに属する発光素子を以下の順番で繰り返しブロック毎に一斉に点灯あるいは消灯することを特徴とする電光表示装置。
（１）左端あるいは上段に位置する第１の発光ブロックを点灯すると共に、中央に位置する第２の発光ブロックを所定時間ｔ秒間点灯し、右端あるいは下段に位置する第３の発光ブロックを所定時間ｔ秒間消灯する。
（２）第１から第３の各発光ブロックを全て所定時間８ｔ秒間消灯する。
（３）第１から第３の各発光ブロックを全て所定時間ｔ秒間点灯する。
（４）第１から第３の各発光ブロックを全て所定時間８ｔ秒間消灯する。
（５）第１の発光ブロックを所定時間ｔ秒間消灯し、第２の発光ブロック及び第３の発光ブロックを所定時間ｔ秒間点灯する。
（６）第１から第３の各発光ブロックを全て所定時間８ｔ秒間消灯する。
【発明の詳細な説明】
【技術分野】
【０００１】
本発明は、発光ダイオード（以降ＬＥＤと表記する）等の発光素子をプリント基板上に複数個配列し、各発光素子を選択的に発光させることで文字、図形、記号、模様等を表示する装置に関する。
【背景技術】
【０００２】
従来、ＬＥＤをプリント基板上に配置し、選択的に点滅駆動することで文字・画像等を発光表示する電光表示装置が知られている。当該装置の中にあって、近年その数を増やしつつあるのが道路工事箇所等で注意喚起を促す目的で設置される電光表示装置である。道路工事箇所の多くでは、片側交互通行等の通行規制を行いながら通行と工事作業とを並行して進めるため、車両のドライバーに向けて工事が行われていることを現場で知らせる必要がある。中でも高速道路のように通行車両の速度が高い場所では、ドライバーに対して確実に注意を伝えなければならず、「工事中」「片側通行」といった発光文字を表示しながら黄色回転灯を併設するなどして更に注意を与えている。
【発明の開示】
【発明が解決しようとする課題】
【０００３】
特許文献１に示すように従来の電光表示装置では、構造上機械的な可動部をもたないＬＥＤ方式を採用しながら、その一方で回転灯という発光原理から発光制御方式さらには構造面まで全く異なるもの同士を組み合わせていた。一般に回転灯は光源に白熱球を使用し、反射鏡が白熱球の周囲を回転する構造となっていることから、そもそも根本的に可動機構部分に故障発生の要因を抱えているという問題がある。また、ＬＥＤ表示装置の部分と回転灯の部分とが独立した個別の筐体で構成されているため、コストの上昇をもたらしていた。
【特許文献１】特開２００２−９９２２９号
【０００４】
本発明は上記のような問題点を解決することを課題としており、故障発生のリスクが低く、しかも優れた注意喚起効果を備える電光表示装置を提供することを課題としている。
【課題を解決するための手段】
【０００５】
本発明は、上記課題を解決するために、複数の発光素子を点滅駆動することで所定の表示パターンを発光表示する電光表示装置において、複数の発光素子をドットマトリクス状に配列して構成する表示画面と、表示画面にドットマトリクス配列した発光素子を点滅駆動する表示駆動部と、表示画面上に発光表示する表示パターンに対応して、前記表示駆動部を介して発光素子を点滅駆動するためのデータを記憶する表示データ記憶部と、を備え、表示画面のドットマトリクス配列面の全領域あるいは一部の領域を縦方向または横方向に区切って少なくとも３つの発光ブロックに分割し、第１から第３の各発光ブロックに属する発光素子を以下の順番で繰り返しブロック毎に一斉に点灯あるいは消灯することにより注意喚起を促すことを特徴とする電光表示装置を提案する。
（１）左端あるいは上段に位置する第１の発光ブロックを点灯すると共に、中央に位置する第２の発光ブロックを点灯し、右端あるいは下段に位置する第３の発光ブロックを消灯する。
（２）第１から第３の各発光ブロックを全て消灯する。
（３）第１から第３の各発光ブロックを全て点灯する。
（４）第１から第３の各発光ブロックを全て消灯する。
（５）第１の発光ブロックを消灯し、第２の発光ブロック及び第３の発光ブロックを点灯する。
（６）第１から第３の各発光ブロックを全て消灯する。
【０００６】
そして、上記提案の電光表示装置は、次の点灯／消灯時間とすることが望ましい。
（１）左端あるいは上段に位置する第１の発光ブロックを点灯すると共に、中央に位置する第２の発光ブロックを所定時間ｔ秒間点灯し、右端あるいは下段に位置する第３の発光ブロックを所定時間ｔ秒間消灯する。
（２）第１から第３の各発光ブロックを全て所定時間８ｔ秒間消灯する。
（３）第１から第３の各発光ブロックを全て所定時間ｔ秒間点灯する。
（４）第１から第３の各発光ブロックを全て所定時間８ｔ秒間消灯する。
（５）第１の発光ブロックを所定時間ｔ秒間消灯し、第２の発光ブロック及び第３の発光ブロックを所定時間ｔ秒間点灯する。
（６）第１から第３の各発光ブロックを全て所定時間８ｔ秒間消灯する。
【発明の効果】
【０００７】
本発明の電光表示装置によれば、表示装置がもともと備えているドットマトリクス表示面の全面または一部の領域を利用して、光源の周りを反射鏡が回転して光を放射する回転灯と同等の注意喚起表示を行うことができる。したがって反射鏡が不要となり、機械的な可動部分をなくすことができるため、故障が発生する確率を大幅に低減させることができる。同時に、これまで別々の筐体で構成していたＬＥＤ表示部と回転灯表示部とを１つにまとめることができ、装置の低価格化を図ることができる。
【０００８】
また、注意喚起表示を行う際のＬＥＤの点灯時間を、消灯時間に比べて短時間にしていることにより、ＬＥＤ点灯時に鮮やかな光が瞬間的に発光するように視認させることができ、回転灯が放つ光に近い印象の発光効果を与えることができる。
【実施例１】
【０００９】
以下、図面を基に本発明の第１実施例について説明する。図１は本発明実施例に関わる電光表示装置を組み込んだ工事用表示装置７の外観を示す説明図である。１は本実施例の電光表示装置であり、発光素子たるＬＥＤ２をドットマトリクス状に配列して文字、図形等の表示パターンを表示する表示画面３を構成している。４は内照表示部であり、道路標識を印刷した透光性表示板５の内側に蛍光灯等の光源を具備し、道路標識を内側から照らして表示するようにしている。電光表示装置１と内照表示部４とは図に現れない背面側でフレームで一体化しており、周知の昇降装置を取り付けたスタンド６により適宜高さでの支持を可能にしている。
【００１０】
次に、図２を基にして電光表示装置１の内部構成について説明する。３は表示画面であり、既に説明した通りＬＥＤをドットマトリクス状に配列している。配列するＬＥＤの数は特に限定されるものではなく、文字の表示を優先する場合には一文字あたり縦横１６個ずつ配列すれば都合が良く、矢印等の記号表示を優先する場合にはそれよりも少ないドットでマトリクス配列すれば十分であり、要は主に表示する内容に応じて適宜マトリックスを構成することができる。本実施例では全画面に対して橙色発光ＬＥＤを横方向に１２ドット縦方向に５ドット配列してマトリクスを構成している。そして表示画面３は３つの発光ブロック３−ａ、３−ｂ、３−ｃに分割されており、それぞれの発光ブロック（横４ドット×縦５ドット）ごとに一斉にＬＥＤを発光／消灯できるようにしている。１０は表示駆動部で、スイッチング用トランジスタアレイ回路等からなり、後述する制御部より表示制御データを受けて表示画面３に配列したＬＥＤを点滅駆動し、マトリクス上に矢印記号を発光表示したり、発光ブロック３−ａ、３−ｂ、３−ｃを所定の順番で発光／消灯する。
【００１１】
１１はＣＰＵで、記憶部１２で記憶するプログラムやデータに従い表示処理手順をこなす。記憶部１２は、装置全体の動きに関する動作プログラムが記憶されたＲＯＭ１２ａと、ドット情報の集まりで表現される各種矢印記号のパターンやその表示動作及び発光ブロック３−ａ、３−ｂ、３−ｃに関する発光順序の組み合わせ等を複数記憶する表示データ記憶部１２ｃと、この表示データ記憶部１２ｃに記憶している個々の記憶内容の表示タイミングを規定するスケジュールデータや電光表示装置に関する各種データを記憶するデータ記憶部１２ｃとからなっている。１３はＶＲＡＭで、記憶部１２から読み出した各種データのうちの表示データを記憶領域にビット情報として展開する。このＶＲＡＭ１３は、表示画面３のドットマトリクス構成である横１２ドット×縦５ドットに対応した記憶領域を備えている。表示データ記憶部１２ｃから読み出した矢印記号を表すドットパターンや、発光ブロック３−ａ、３−ｂ、３−ｃの各ブロックに対応する横４ドット×縦５ドットで塗りつぶされるドットパターンをＶＲＡＭ１３の記憶領域に展開するのである。このとき、表示画面３の１ドットに対してＶＲＡＭ１３の記憶領域は１ビットが割り当てられ、ＬＥＤ点滅に関する１ビットの点滅データが格納された後、単階調の表示制御データとして出力される。１４はプログラマブルロジックデバイス（ＰＬＤ）で、ＶＲＡＭ１３から出力される表示制御データを受け、表示駆動部１０に駆動信号を出力する。
【００１２】
次に図３のタイミングチャートを基にして発光ブロック３−ａ、３−ｂ、３−ｃの発光表示動作について説明する。図示のパルスは各発光ブロックに含まれるＬＥＤ（横４ドット×縦５ドット）への通電を表しており、タイミング（ア）において第１の発光ブロック３−ａ及び３−ｂに所定時間ｔ通電し発光させる。次にタイミング（イ）において発光ブロック３−ａ、３−ｂ、３−ｃを共に所定時間８ｔの間消灯させる。このとき所定時間８ｔは所定時間ｔに対して十分長い時間を確保しており、具体的には８ｔ＝８×ｔ（ｓｅｃ）の関係にある。次にタイミング（ウ）において、発光ブロック３−ａ、３−ｂ、３−ｃに所定時間ｔ通電し発光させる。次にタイミング（エ）において発光ブロック３−ａ、３−ｂ、３−ｃを共に所定時間８ｔの間消灯させる。次にタイミング（オ）において第２の発光ブロック３−ｂ及び３−ｃに所定時間ｔ通電し発光させる。次にタイミング（カ）において発光ブロック３−ａ、３−ｂ、３−ｃを共に所定時間８ｔの間消灯させる。以上タイミング（ア）〜タイミング（カ）が一連の発光表示動作となり、これら一連の動作を連続して繰り返し実行する。それにより、表示画面３は図４に示す発光表示イメージで、発光群が画面の左側から右側へ移動して発光する。そして、発光時間ｔは消灯時間８ｔに対して十分短い時間であることから、見る者には橙色の鮮やかな光が「左端」「正面」「右端」の順で瞬間的に瞬きながら認識され、光源の周りを反射鏡が回転して光を放射する回転灯と同等の発光表示を行う。
【実施例２】
【００１３】
次に本発明の第２実施例について図５の全体ブロック図を基に説明する。第２実施例では、第１実施例に対して表示画面３を横方向４８ドット×縦方向１６ドットのマトリクス構成としており、また記憶部１２にフォントＲＯＭ１２ｄを備えている。このフォントＲＯＭ１２ｄには標準コードに置きかえられた文字・記号等のキャラクタがドットパターンで記憶されており、また、表示データ記憶部１２ｂには第１実施例の各種記号パターンや発光ブロックの発光順序などの他に、キャラクタデータからなる文字・単語・文章のコンテンツやドット情報の集まりで表現されるビットマップ形式のイメージデータからなる画像のコンテンツなどを複数記憶している。表示画面３は第１実施例と同様に３つの発光ブロック３−ａ、３−ｂ、３−ｃで分割されているが、１つのブロックあたり横１６ドット×縦１６ドットの橙色ＬＥＤが含まれている点が異なっている。このような構成とすることにより、第１の発光ブロック３−ａ、第２の発光ブロック３−ｂ、第３の発光ブロック３−ｃの点滅を組み合わせて行う注意喚起表示に加えて、表示画面３に「工事中」を静止表示したり、「片側通行規制中」等の文章をスクロール表示することが可能になる。
【実施例３】
【００１４】
図示しないが、第３実施例として、表示画面３を横４８ドット×縦３２ドットのマトリクスで構成し、上側の１段（横４８ドット×縦１６ドット）を３つの発光ブロックに分割して注意喚起表示を行うようにしても良い。その場合、下側の一段（横４８ドット×縦１６ドット）に文字や文章を並行して同時表示すればより確かな注意喚起を行うことができる。
【００１５】
本発明は以上のように構成されるが、上記実施例の内容に限定されることなく他の実施が可能である。例えば、表示画面を分割して構成する発光ブロックの数は３つに限定されるものではない。少なくとも３種類の発光群に分割して本実施例の発光タイミングで発光駆動可能であればよい。また、本実施例では表示画面の縦横比を横長に設置した例について説明したが、縦長に設置しても実施可能であり、その場合は表示画面を縦方向に３分割し、上段３分の１領域を第１の発光ブロック、中段３分の１領域を第２の発光ブロック、下段３分の１領域を第３の発光ブロックとして発光駆動すればよい。
【図面の簡単な説明】
【００１６】
【図１】本発明の外観を示す説明図である。
【図２】本発明第１実施例の全体構成を示す説明図である。
【図３】第１から第３の発光ブロックの点滅タイミングを示すタイミングチャートである。
【図４】注意喚起表示のイメージを示す説明図である。
【図５】本発明の他の実施例の全体構成を示す説明図である。
【符号の説明】
【００１７】
１    電光表示装置本体
２    発光素子たるＬＥＤ
３    表示画面
３−ａ    第１の発光ブロック
３−ｂ    第２の発光ブロック
３−ｃ    第３の発光ブロック
１０    表示駆動部
１１    ＣＰＵ
１２    記憶部
１２ｂ    表示データ記憶部
【図１】
2007017468.tif 000003
【図２】
2007017468.tif 000004
【図３】
2007017468.tif 000005
【図４】
2007017468.tif 000006
【図５】
2007017468.tif 000007